(57)【要約】【課題】コンピュータールームの照明に要する消費電力を削減し、以って、コンピュータールームの消費電力の抑制を図る。【解決手段】コンピュータールーム２に電子機器を収納した複数のキャビネット１１を配置し、これらキャビネット１１のそれぞれは、収納した電子機器の排熱を含む空気を冷却する冷却器を備え該冷却器で冷却した空気がコンピュータールーム２に戻されると共に、該キャビネット１１のリアドア１２が開かれると点灯して内部を照らす照明装置としてのリア側庫内灯１００を有し、前記コンピュータールーム２の出入口ドア１３０が開かれたときに、所定のキャビネット１１の前記リア側庫内灯１００を点灯し、該コンピュータールーム２内での誘導灯を構成する。【選択図】図８
2009135016.tif 000002
【特許請求の範囲】
【請求項１】
コンピュータールームに電子機器を収納した複数のキャビネットを配置し、これらキャビネットのそれぞれは、収納した電子機器の排熱を含む空気を冷却する冷却器を備え該冷却器で冷却した空気がコンピュータールームに戻されると共に、該キャビネットのリアドアが開かれると点灯して内部を照らす照明装置を有し、
前記コンピュータールームの出入口ドアが開かれたときに、所定のキャビネットの前記照明装置を点灯し、該コンピュータールーム内での誘導灯を構成する照明制御手段を設けた
ことを特徴とするコンピュータールームの照明システム。
【請求項２】
前記照明制御手段は、所定のキャビネットの前記照明装置が点灯しているとき、前記コンピュータールームの出入口ドアが再び開けられると、該照明装置を消灯することを特徴とする請求項１に記載のコンピュータールームの照明システム。
【請求項３】
前記冷却器の異常を検出する異常検出手段を備え、
この異常検出手段が異常を検出した場合、前記照明制御手段は、異常が検出された冷却器を有するキャビネットの照明装置を点灯すると共に、当該キャビネットと前記出入口ドアとの間にある所定のキャビネットの照明装置を点灯することを特徴とする請求項１または２に記載のコンピュータールームの照明システム。
【請求項４】
複数の前記キャビネットの配列により前記コンピュータールーム内に通路を形成し、
前記照明制御手段は、前記コンピュータールームの出入口ドアが開かれたときに、所定のキャビネットの照明装置を点灯し前記出入口ドアから前記通路への誘導灯を構成する
ことを特徴とする請求項１乃至３のいずれかに記載のコンピュータールームの照明システム。
【請求項５】
複数の前記キャビネットの配列により前記コンピュータールーム内に通路を形成し、
前記冷却器の異常を検出する異常検出手段を設け、
この異常検出手段が異常を検出した場合、異常が検出された冷却器を有するキャビネットの照明装置を点灯すると共に、当該キャビネットが配列されたキャビネットの照明装置を点灯する
ことを特徴とする請求項１または２に記載のコンピュータールームの照明システム。
【発明の詳細な説明】
【技術分野】
【０００１】
本発明は、電子機器を収納した複数のキャビネットが配置されるコンピュータールームの照明システムに関する。
【背景技術】
【０００２】
一般に、電子機器が収容されるためのキャビネットの空気出口側に空気−水熱交換器を配置し、キャビネットに収容された電子機器に付設したファンで送風される空気を上記空気−水熱交換器で冷却して室内に戻す電子機器冷却システムが知られている（例えば、特許文献１参照）。この種の電子機器冷却システムはコンピュータールームに設置され、コンピュータールームに設置されるサーバコンピュータ（以下、単に「サーバ」と言う）やネットワーク機器を冷却する。
【特許文献１】米国特許出願公開第２００６／０２３２９４５号明細書
【発明の開示】
【発明が解決しようとする課題】
【０００３】
ところで、近年、サーバやネットワーク機器のプロセッサの高密度化によって、これらサーバやネットワーク機器の消費電力が増えている。これに加え、上記電子機器冷却システムをコンピュータールームに設置することで消費電力が増大しており、コンピュータールームの消費電力の増加が大きな問題となりつつある。しかしながら、ビル等の建物の総電力量は着工時に決定されているため、コンピュータールームで利用できる最大電力量を簡単に増やすことはできない。
本発明は、上述した事情に鑑みてなされたものであり、コンピュータールームの照明に要する消費電力を削減し、以って、コンピュータールームの消費電力の抑制に寄与するコンピュータールームの照明システムを提供することを目的とする。
【課題を解決するための手段】
【０００４】
上記目的を達成するために、本発明は、コンピュータールームに電子機器を収納した複数のキャビネットを配置し、これらキャビネットのそれぞれは、収納した電子機器の排熱を含む空気を冷却する冷却器を備え該冷却器で冷却した空気がコンピュータールームに戻されると共に、該キャビネットのリアドアが開かれると点灯して内部を照らす照明装置を有し、前記コンピュータールームの出入口ドアが開かれたときに、所定のキャビネットの前記照明装置を点灯し、該コンピュータールーム内での誘導灯を構成する照明制御手段を設けたことを特徴とするコンピュータールームの照明システムを提供する。
【０００５】
また本発明は、上記発明において、前記照明制御手段は、所定のキャビネットの前記照明装置が点灯しているとき、前記コンピュータールームの出入口ドアが再び開けられると、該照明装置を消灯することを特徴とする。
【０００６】
また本発明は、上記発明において、前記冷却器の異常を検出する異常検出手段を備え、この異常検出手段が異常を検出した場合、前記照明制御手段は、異常が検出された冷却器を有するキャビネットの照明装置を点灯すると共に、当該キャビネットと前記出入口ドアとの間にある所定のキャビネットの照明装置を点灯することを特徴とする。
【０００７】
また本発明は、上記発明において、複数の前記キャビネットの配列により前記コンピュータールーム内に通路を形成し、前記照明制御手段は、前記コンピュータールームの出入口ドアが開かれたときに、前記出入口ドアからみて前記通路の入口に位置するキャビネットの照明装置を点灯し、前記出入口ドアから前記通路への誘導灯を構成することを特徴とする。
【０００８】
また本発明は、上記発明において、複数の前記キャビネットの配列により前記コンピュータールーム内に通路を形成し、前記コンピュータールームの出入口ドアが開かれたときに、前記出入口ドアからみて前記通路の入口に位置するキャビネットの照明装置を点灯し、前記出入口ドアから前記通路への誘導灯を構成すると共に、前記冷却器の異常を検出する異常検出手段を設け、この異常検出手段が異常を検出した場合、異常が検出された冷却器を有するキャビネットの照明装置を点灯すると共に、当該キャビネットが配列された通路の入口に位置するキャビネットの照明装置を点灯することを特徴とする。
【発明の効果】
【０００９】
本発明によれば、コンピュータールームの出入口ドアが開かれたときに、所定のキャビネットの照明装置を点灯し、該コンピュータールーム内での誘導灯を構成するようにしたため、コンピュータールームに入室した際に、コンピュータールームに既設の室内照明を点灯させなくとも、コンピュータールーム内で所定のキャビネットの位置に作業者を導くことができる。これにより、コンピュータールームの照明に要する消費電力を削減し、コンピュータールームの消費電力を抑制することができる。
【発明を実施するための最良の形態】
【００１０】
以下、図面を参照して本発明の実施の形態について説明する。
図１は本発明の一実施形態に係る電子機器冷却システムを示す図である。
この電子機器冷却システム１は、コンピュータールーム２に配設される複数の電子機器３（図２参照）を冷却するシステムである。このコンピュータールーム２は、二重床に構成され、この二重床の上にサーバラック１０が床置きされる。
【００１１】
図２はサーバラック１０を示す図である。サーバラック１０は、前面及び後面が開口したキャビネット１１を備え、このキャビネット１１内に複数の電子機器３がその背面をキャビネット１１後面に向けて上下に段積み配置される。また、このキャビネット１１後面には、後面開口６５を閉塞自在に片開きの開閉するリアドア１２、及び、前面開口６４を閉塞自在に片開きの開閉するフロントドア１４が設けられ、これらリアドア１２及びフロントドア１４は、パンチングメタル加工等により通気自在に構成されると共に、その内部に電子機器冷却ユニット２０が構成される。また、サーバラック１０の底にはキャスタ１３が設けられ、サーバラック１０を容易に移動可能にしている。
【００１２】
上記電子機器３は、サーバやネットワーク機器であり、一般に、この種の電子機器は冷却用のファン４を付設したファン付き電子機器であり、機器内の温度が所定温度を超えるとファン４を駆動し、機器内に外気を導入して機器背面から排出する強制空冷機能を備えている。このため、電子機器３をその背面をキャビネット１１背面に向けて配置することで、図２に冷却風の流れを破線矢印で示すように、電子機器３に付設したファン４により室内空気がキャビネット１１のフロントドア１４から吸い込まれ、電子機器３を冷却してリアドア１２を通過して室内に戻る。また、これらリアドア１２及びフロントドア１４を開けることによって、キャビネット１１内の電子機器３へのアクセスが容易になる。
【００１３】
電子機器冷却ユニット２０は、サーバラック１０のリアドア１２と一体に構成され、複数（本例では３台）のサーバラック１０に設けられた電子機器冷却ユニット２０のそれぞれが、一台の熱源機３０（図１参照）から延びるメイン冷媒配管３１（図１参照）に並列に接続される。すなわち、これら複数（３台）の電子機器冷却ユニット２０と、これら電子機器冷却ユニット２０が配管接続される熱源機３０とによって電子機器冷却装置４０が構成される。なお、図１に示す例では、コンピュータールーム２に１２台のサーバラック１０を配置し、３台のサーバラック１０内の電子機器冷却ユニット２０を一台の熱源機３０に各々接続した一系統の電子機器冷却装置４０を４系統配設した場合を示している。
【００１４】
電子機器冷却ユニット２０は、熱源機３０と配管接続されることによって冷凍サイクルを行う冷凍回路を構成するユニットであり、図２に示すように、蒸発器２１を備え、電子機器３から排出された空気がリアドア１２内の蒸発器２１を流通した際に、蒸発器２１によってこの空気を冷却して室内に戻す。この蒸発器２１は、リアドア１２の略上下に渡って延在し、上下略中間部を境に上側蒸発部２２と下側蒸発部２３とに分割され、キャビネット１１上半分の電子機器３の冷却を上側蒸発部２２が受け持ち、下半分の電子機器３の冷却を下側蒸発部２３が受け持つように構成される。
本構成では、電子機器冷却ユニット２０の蒸発器２１には、冷凍サイクルを循環する冷媒が供給されるため、万一冷媒が循環する経路から冷媒の漏れが生じたとしても、この冷媒は即座に蒸発し、電子機器３のショートもしくは漏電といった損傷を防止することができる。
【００１５】
図３は電子機器冷却装置４０の回路構成を示す図である。この図に示すように、電子機器冷却ユニット２０は、熱源機３０から延びるメイン冷媒配管３１を構成するメイン液管３１Ａ及びメインガス管３１Ｂに対し、フレキシブル液管２５及びフレキシブルガス管２６を介して並列に接続される。フレキシブル液管２５及びフレキシブルガス管２６は、柔軟性及び冷媒不透過性を有するフレキシブルチューブが適用され、フレキシブル液管２５は比較的小径のチューブが適用され、フレキシブルガス管２６は比較的大径のチューブが適用される。
【００１６】
熱源機３０から延びるメイン液管３１Ａ及びメインガス管３１Ｂにフレキシブル液管２５及びフレキシブルガス管２６の一端がそれぞれ接続される。フレキシブル液管２５の他端は、電子機器冷却ユニット２０の液管接続部ＰＩＮに接続される。この液管接続部ＰＩＮから延びる冷媒配管（液管）２７は２つに分岐し、一方の液分岐管２７Ａは膨張弁２８Ａを介して上側蒸発部２２の入口に接続され、他方の液分岐管２７Ｂは膨張弁２８Ｂを介して下側蒸発部２３の入口に接続される。
各蒸発部２２、２３の出口は１本の合流冷媒配管（ガス管）２９に配管接続され、この合流冷媒配管２９の端部に設けたガス管接続部ＰＯＵＴにフレキシブルガス管２６が接続される。これによって、電子機器冷却ユニット２０内の各蒸発部２２、２３に冷媒を選択的に流通可能に冷媒配管が接続される。
このように、フレキシブル液管２５及びフレキシブルガス管２６を介して電子機器冷却ユニット２０の蒸発器２１を接続したため、この蒸発器２１が内蔵されるリアドア１２を開閉した際に上記フレキシブル配管２５、２６が撓んでリアドア１２の開閉を妨げない。また、これら配管を接続したままでもサーバラック１０の位置の微調整が可能である。
【００１７】
ここで、メイン液管３１Ａ及びメインガス管３１Ｂは、図１に示すように、コンピュータールーム２の上床２Ａと下床２Ｂとの間の床下空間内を引き回され、このメイン液管３１Ａ及びメインガス管３１Ｂにつながるフレキシブル液管２５及びフレキシブルガス管２６は、上床２Ａの開口穴２Ｃ（図２参照）を通ってリアドア１２内の蒸発器２１につながる。このため、図２に示すように、フレキシブル液管２５及びフレキシブルガス管２６が蒸発器２１から下方に延びた後に床下空間内で緩やかに曲がるように引き回され、これらフレキシブル配管２５、２６の長さに余裕を持たせておくことによってリアドア１２の開閉時にフレキシブル配管２５、２６だけがリアドア１２の動きに合わせて移動する。従って、リアドア１２開閉時に他の配管に力が作用することがなく、他の配管、例えば、メイン液管３１Ａ及びメインガス管３１Ｂに鋼管を適用することが可能である。
【００１８】
この電子機器冷却ユニット２０には、蒸発器２１の下方に電装ユニット（電装箱）５１と、この電装ユニット５１につながるリモートコントローラ５２が設けられている。この電装ユニット５１は、上側蒸発部２２の入口冷媒温度Ｌ１及び出口冷媒温度Ｇ１と、下側蒸発部２３の入口冷媒温度Ｌ２及び出口冷媒温度Ｇ２とを、４つの温度センサ（冷媒温度検出手段）２９Ａ〜２９Ｄを介して各々検出し、各蒸発部２２、２３の出入り口温度差（Ｌ１−Ｇ１、Ｌ２−Ｇ２）に基づいて適正な過熱度になるように各々の膨張弁２８Ａ、２８Ｂの制御を行うと共に、熱源機３０と通信する機能を備えている。
また、電装ユニット５１は、リアドア１２或いはフロントドア１４の開閉などに伴ってキャビネット内の照明を行う機能を有するが、かかる機能については後に詳述する。
【００１９】
リモートコントローラ５２は、コンピュータールーム２のサーバラック１０の側面或いは背面などに配置され、リアドア１２内の電装ユニット５１に有線或いは無線で接続される。このリモートコントローラ５２には、図示は省略するが、室内温度センサ、操作ボタン、表示部、ブザー（報音部）などが設けられ、このリモートコントローラの操作に従って、電子機器冷却装置４０の運転開始／停止、設定温度Ｔ０の変更、各種エラーメッセージの報知（表示及びブザー音出力）などが行われる。ここで、設定温度Ｔ０は、電子機器冷却ユニット２０の目標温度であり、通常、コンピュータールーム２の室内目標温度が設定される。そして、この電子機器冷却装置４０においては、キャビネット１１の前面側開口から入る空気、或いは、蒸発器２１を通過した空気の温度が、該設定温度Ｔ０になるように各部の制御が実行される。
【００２０】
熱源機３０は、室外に設置され、概略的には、冷媒を圧縮する圧縮機３２、オイルセパレータ３３、四方弁３４、熱源側熱交換器（凝縮器）３５、膨張弁３６及びレシーバタンク３７の順に配管接続され、このレシーバタンク３７にメイン液管３１Ａが接続されると共に、圧縮機３２入口につながる低圧側配管４１にアキュムレータ３８を介してメインガス管３１Ｂが接続される。
圧縮機３２は、定速運転用のＡＣ圧縮機（能力一定型の圧縮機）３２Ａと、周波数可変運転用のインバータ圧縮機（能力可変型の圧縮機）３２Ｂとを有し、これらは並列に接続され、冷却の負荷に応じてこれら圧縮機３２Ａ、３２Ｂの運転のオンオフ制御及び圧縮機３２Ｂの運転周波数を可変制御することによって熱源機３０全体の冷却能力が可能に構成される。
【００２１】
より具体的に説明すると、各圧縮機３２Ａ、３２Ｂの吐出側には、逆止弁４２Ａ、４２Ｂが各々設けられ、各逆止弁４２Ａ、４２Ｂの下流で合流する高圧側配管４２にオイルセパレータ３３、逆止弁４３、四方弁３４、熱源側熱交換器３５、膨張弁３６及びレシーバタンク３７が順に接続される。また、各圧縮機３２Ａ、３２Ｂの吸込側につながる低圧側配管４１は、アキュムレータ３８の下流でつながり、このアキュムレータ３８の上流で四方弁３４につながり、この四方弁３４を介してメインガス管３１Ｂにつながる。なお、この四方弁３４の切換は行われず、図３の状態に固定される。
また、高圧側配管４２には、膨張弁３６と並列に逆止弁４４が接続され、この逆止弁４４により熱源側熱交換器３５からレシーバタンク３７への流れを許容すると共に逆方向の流れを禁止する。また、上記逆止弁４２Ａ、４２Ｂとオイルセパレータ３３の間には、冷媒戻し管４５が接続され、この冷媒戻し管４５の先端は圧縮機３２Ａ、３２Ｂの吸込側に接続される。この冷媒戻し管４５には開閉弁４６が設けられ、この開閉弁４６を開けることによって圧縮機３２Ａ、３２Ｂから吐出された冷媒の一部を圧縮機３２Ａ、３２Ｂの吸込側に戻すことができ、圧縮機３２Ａ、３２Ｂの吐出能力を低減することができる。
【００２２】
なお、高圧側配管４２は、液側サービスバルブ４７を介してメイン液管３１Ａに接続され、低圧側配管４１は、ガス側サービスバルブ４８を介してメインガス管３１Ｂに接続される。また、オイルセパレータ３３によって分離されたオイルは、オイル戻し管４９を通って圧縮機３２Ａ、３２Ｂの吸込側に戻される。また、一方の圧縮機３２Ａ、３２Ｂの高圧側と他方の圧縮機３２Ｂ、３２Ａの低圧側とはオイル戻し管３２Ｃ、３２Ｄで互いに接続され、各圧縮機３２Ａ、３２Ｂ内のオイル量が適正に調整される。また、各圧縮機３２Ａ、３２Ｂの吐出側には高圧スイッチ５Ａ、５Ｂが各々設けられ、高圧スイッチ５、６により圧縮機３２Ａ、３２Ｂの吐出圧が許容範囲の上限を超えた場合に各圧縮機３２Ａ、３２Ｂの運転が停止される。
【００２３】
また、熱源機３０は、電装ユニット６１を有し、この電装ユニット６１は、内外通信線６２を介して当該熱源機３０に接続される電子機器冷却ユニット２０の電装ユニット５１と通信可能に接続される。この電装ユニット６１は、各電子機器冷却ユニット２０の電装ユニット５１との間で制御信号や運転信号を送受信すると共に、電子機器冷却ユニット２０側に設けられたリモートコントローラ５２の操作を入力し、これらによって電子機器冷却装置４０の各部の制御を行う。
【００２４】
この電子機器冷却装置４０にあっては、熱源機３０の電装ユニット５１の制御の下、圧縮機３２Ａ、３２Ｂが運転される。この場合、電装ユニット５１は、図示せぬ温度センサで検出した室外温度Ｔ２とリモートコントローラ５２で検出した室内温度Ｔ１との差の温度（差温）などに基づき、各圧縮機３２Ａ、３２Ｂの運転のオン／オフ及び運転周波数を制御すると共に、熱源側熱交換器３５の出入り口温度を図示せぬ温度センサにより検出し、この出入り口温度差が適正範囲になるように膨張弁３６の弁開度を制御する。
この場合、圧縮機３２Ａ、３２Ｂから吐出された高温高圧冷媒は、熱源側熱交換器３５で凝縮されて液化された後、熱源機３０から延びるメイン液管３１Ａを通ってコンピュータールーム２内の電子機器冷却ユニット２０に供給される。
【００２５】
各電子機器冷却ユニット２０では、メイン液管３１Ａを流れる液冷媒がフレキシブル液管２５を通って液管２７を流れ、ここで二系統に分流されて、一方が膨張弁２８Ａを通って上側蒸発部２２を流れると共に、他方が膨張弁２８Ｂを通って下側蒸発部２３を流れ、各蒸発部２２、２３で蒸発してガス化し、各蒸発部２２、２３での冷媒蒸発熱により各蒸発部２２、２３を通過する空気が冷却される。
そして、各蒸発部２２、２３でガス化した冷媒は、ガス管２９で合流した後にフレキシブルガス管２６を通ってメインガス管３１Ｂに流れ、熱源機３０に戻る。以上のようにして冷凍サイクルが行われる。
【００２６】
次に、サーバラックについて説明する。
図４はサーバラックの外観図であり、図５はリアドアを開いた状態を示す斜視図である。サーバラック１０は、電子機器３（図２参照）を収納するためのキャビネット１１と、このキャビネット１１の後面開口６５を閉塞自在に開閉するリアドア１２と、前面開口６４（図２参照）を閉塞自在に開閉するフロントドア１４とを備える。
キャビネット１１は、収納される電子機器の規格に合致した大きさを有し、板金性の天板１１Ａ、底板１１Ｂ及び側板１１Ｃ、１１Ｄを備えて矩形状に形成されている。このキャビネット１１の前面及び後面にはそれぞれ前面開口６４（図１参照）及び後面開口６５が形成され、この開口６４、６５を通じてキャビネット１１内にコンピュータールーム２の室内空気が流通する。また、キャビネット１１は、天板１１Ａと底板１１Ｂとの間に、これら天板１１Ａ及び底板１１Ｂと略平行に配置された仕切り板（棚部）１１Ｅを備える。この仕切り板１１Ｅは、キャビネット１１内を区分けするものであり、仕切り板１１Ｅ上に電子機器３が配置される。この仕切り板１１Ｅは、両側板１１Ｃ、１１Ｄに形成された支持部（不図示）によって支持されており、この支持部は上下方向に所定間隔ごとに複数設けられている。これによって、仕切り板１１Ｅを所望の位置の支持部に配置したり、複数の当該仕切り板１１Ｅをキャビネット１１内に配置することができる。
【００２７】
リアドア１２は、金属（例えば、アルミニウム）板を折り曲げて形成されており、このリアドア１２の一端側はヒンジ６６を介してキャビネット１１に連結され、他端側に当該リアドア１２を開閉する際に操作されるハンドル６７が形成されている。このハンドル６７を操作して当該ハンドル６７を手前側に引くと、リアドア１２は、図５に示すように、ヒンジ６６を中心に回動してキャビネット１１の後面開口６５が開放される。
また、リアドア１２の外面の略中央部には、図４に示すように、開口部１２Ａが形成されており、この開口部１２Ａには、所定径の孔６８が略一面に形成された表面材６９が配置されている。この表面材６９は、各孔６８を通じてリアドア１２を通風可能とするとともに、このリアドア１２の内部に配置される蒸発器２１を外部に露出させないように機能し、サーバラック１０の美観の向上を図っている。
さらに、フロントドア１４にもリアドア１２が備える表面材６９が配置され、フロントドア１４を通風可能としている。
【００２８】
ここで、表面材６９の各孔６８は、通風を阻害しないように開口率が例えば６０パーセント以上となるように形成されている。さらに、この孔６８孔の径は、人の手指よりも小さな径に設定されている。これによれば、例えば、サーバラック１０に配置される電子機器３のオペレータ）がこの孔６８を通じて蒸発器２１に触れることが防止され、この蒸発器２１のフィンで手指をけがするといった事故を未然に防ぐことができる。
【００２９】
リアドア１２の内面には、図６に示すように、このリアドア１２の略全域に配置される蒸発器２１と、この蒸発器２１に繋がる液分岐管２７Ａ、２７Ｂに設けられる各膨張弁２８Ａ、２８Ｂと、これら膨張弁２８Ａ、２８Ｂの開度を制御するための電装ユニット５１とを一体的に備えている。このように、蒸発器２１、膨張弁２８Ａ、２８Ｂ及び電装ユニット５１をリアドア１２の内面に一体的に配置することにより、これらを一体の電子機器冷却ユニット２０として取り扱うことができ、この電子機器冷却ユニット２０を熱源機３０に接続することにより、簡単に電子機器３の発する熱を冷却することができる。
【００３０】
蒸発器２１は、図６及び図７に示すように、上下方向の略中間部を境に上側蒸発部２２と下側蒸発部２３とに分割されている。上側蒸発部２２及び下側蒸発部２３は、それぞれ各蒸発部２２、２３に繋がる細径の液分岐管２７Ａ、２７Ｂと、太径のガス管２９とを備え、これら液分岐管２７Ａ、２７Ｂ及びガス管２９は、リアドア１２のヒンジ６６側にまとめて配置されている。本構成では、図６に示すように、ガス管２９を液管２７（液分岐管２７Ａ、２７Ｂ）よりもリアドア１２のヒンジ６６側に配置されている。このため、ガス管２９のガス管接続部ＰＯＵＴに繋がる太径のフレキシブルガス管２６は、ヒンジ６６のより近い位置に配置されるため、リアドア１２を開閉する際に、フレキシブルガス管２６の撓み量を小さく抑えることができ、このリアドア１２を小さな力で開閉することができる。
【００３１】
蒸発器２１は、図７に示すように、冷媒が流れる冷媒管７０と、この冷媒管７０に積層配置される複数の放熱用のフィン７１とを備えて構成されるフィンチューブ型の熱交換器であり、この蒸発器２１の両端には、フィン７１を押さえる管板７２が配置されている。この管板７２は、蒸発器２１をリアドア１２（図６参照）に配置する場合に、このリアドア１２側に当該リアドア１２と略平行に延びる取付部７２Ａを備えて略Ｌ字状に形成されている。本実施形態では、この取付部７２Ａを用いてリアドア１２にねじ止めされることにより、蒸発器２１がリアドア１２内に固定されている。
【００３２】
電装ユニット５１は、図６に示すように、蒸発器２１の下方領域に配置されている。これによれば、蒸発器２１で冷却された空気の一部が下降することにより、電装ユニット５１を冷却するため、この電装ユニット５１自体に冷却機器を設ける必要がない。さらに、電装ユニット５１を蒸発器２１の下方に配置したため、この電装ユニット５１と熱源機３０の電装ユニット６１（図３参照）とを接続する内外通信線６２（図３参照）は、フレキシブル配管２５、２６とともに、開口穴２Ｃを通って上床２Ａと下床２Ｂとの間の床下空間内を引き回されるため、当該内外通信線６２の長さを短縮することができる。このため、この内外通信線６２がノイズを拾うことが防止され、電子機器冷却ユニット２０、すなわち蒸発器２１に繋がる各膨張弁２８Ａ、２８Ｂを安定して動作させることができる。
【００３３】
リアドア１２の内面には、図５及び図６に示すように、蒸発器２１を覆うように、所定径の孔７３が略一面に形成されたカバー材７４が配置されている。このカバー材７４は、上記表面材６９と同様にパンチング板で形成されており、各孔７３を通じてリアドア１２を通風可能としている。
カバー材７４は、リアドア１２を開放した場合であっても、電子機器冷却ユニット２０のサービスマン以外が誤って蒸発器２１のフィンに触れることを防止するものである。このカバー材７４は、周囲に形成されたねじ孔（不図示）を通じてリアドア１２にねじ止めで固定されている。ここで。ねじ孔の一部をダルマ孔として、カバー材７４をリアドア１２に仮止めしたねじに引掛けられるようにすることが望ましい。これによれば、メンテナンス時にカバー材７４をリアドア１２に仮固定することができるため、このカバー材７４をリアドア１２に容易に着脱することができる。
また、カバー材７４は、このカバー材７４を取り扱うための一対のハンドル７５を備える。このハンドル７５は、カバー材７４の高さ方向の略中央の縁部にそれぞれ取り付けられており、通風を阻害するものではない。
また、カバー材７４には、図５に示すように、このカバー材７４をリアドア１２に取り付けた際に、膨張弁２８Ａ、２８Ｂに相当する位置に開口７６が形成されている。この開口７６は、カバー材７４を取り外すことなく、膨張弁２８Ａ、２８Ｂをメンテナンスするためのものであり、例えば、膨張弁２８Ａ、２８Ｂの動作を確認したり、当該膨張弁２８Ａ、２８Ｂのコイル部が不良の場合には、この開口７６を通じてコイル部の交換が可能である。
【００３４】
蒸発器２１の下部には、図５及び図６に示すように、蒸発器２１から流下したドレン水を受けるドレンパン７７が設けられている。このドレンパン７７は、電装ユニット５１の上方に位置しており、上記ドレン水が電装ユニット５１に落ちることを防止している。
本構成では、コンピュータールーム２は別個の空気調和装置（不図示）により所定の温度及び湿度（例えば、２５℃５０％）を維持するようになっており、この温度及び湿度の条件下では、極力結露しないように電装ユニット６１が圧縮機３２の運転を制御している。従って、通常の運転状態では、ドレンパン７７にドレン水が溜まることは想定されていないが、何らかの原因によって蒸発器２１に結露が生じたとしても、この結露した水（ドレン水）が電装ユニット５１に落ちないようになっている。
【００３５】
さて、上記のように構成されたサーバラック１０のそれぞれは、キャビネット１１のリアドア１２及びフロントドア１４の開閉に伴ってキャビネット１１内を照明するように構成されている。
具体的には、前掲図２に示すように、キャビネット１１の天板１１Ａの内側の面には、後側及び前側のそれぞれに、下方を照射する照明装置としてのリア側庫内灯１００及びフロント側庫内灯１０１がそれぞれ配設されている。これらリア側庫内灯１００及びフロント側庫内灯１０１の光源には、小型化、低消費電力化、低発熱化及び高寿命化が可能な例えばＬＥＤ光源が用いられている。
【００３６】
キャビネット１１のリアドア１２には、このリアドア１２の開閉操作を検知するリア側開閉センサ１０２が配設され、フロントドア１４には、このフロントドア１４の開閉操作を検知するフロント側開閉センサ１０３が配設されており、図３に示すように、リア側開閉センサ１０２及びフロント側開閉センサ１０３のそれぞれの検知信号が電装ユニット５１に入力される。
そして、電装ユニット５１は、リア側開閉センサ１０２及びフロント側開閉センサ１０３のそれぞれの検知信号に基づいて、リアドア１２或いはフロントドア１４が開かれた事を検知した場合、リア側庫内灯１００及びフロント側庫内灯１０１のうち、開かれたドア側に配設されている方の庫内灯を点灯させ、また、リアドア１２或いはフロントドア１４が閉じられた事を検知した場合には、リア側庫内灯１００及びフロント側庫内灯１０１のうち、閉じられたドア側の庫内灯を消灯させる。
これにより、キャビネット１１内の電子機器や電子機器冷却ユニット２０を冷却する際には、リアドア１２或いはフロントドア１４を開くだけで、キャビネット１１の作業対象となる箇所が照らされ、メンテナンス作業等が容易となる。
【００３７】
さらに、リア側庫内灯１００及びフロント側庫内灯１０１は、キャビネット１１のリアドア１２及びフロントドア１４の開閉に連動して点灯するだけでなく、コンピュータールーム２の出入口ドア１３０の開閉に連動して点灯し、かかるキャビネット１１のリア側庫内灯１００及びフロント側庫内灯１０１の点灯によって、コンピュータールーム２における誘導灯が構成される。以下、かかる構成について図８を参照して説明する。
【００３８】
図８は、コンピュータールーム２及びその照明システム２００の構成を模式的に示す図である。
コンピュータールーム２には、複数（図示例では６個）のサーバラック１０が列状に配列されてラック列９９が構成されており、各ラック列９９の間、或いは、ラック列９９とコンピュータールーム２の壁面との間に、作業者等がコンピュータールーム２内を移動する経路としての複数の通路１０５が形成されている。
また、コンピュータールーム２には、出入口ドア１３０の開閉に基づいて、各サーバラック１０のリア側庫内灯１００及びフロント側庫内灯１０１の点灯／消灯を制御する照明制御装置１１０が設けられている。
【００３９】
図９は照明制御装置１１０の機能的構成を示すブロック図である。
この図に示すように、照明制御装置１１０は、制御部１１２と、開閉センサ入力部１１４と、通信部１１６と、記憶部１１８とを備えている。
制御部１１２は、各部を制御する制御手段として機能し、マイクロコンピューター等を備えて構成されている。開閉センサ入力部１１４は、出入口ドア１３０に設けられ当該出入口ドア１３０の開閉を検知する開閉センサ１０９とのインターフェースを構成するものであり、開閉センサ１０９から出力された開閉検知信号を制御部１１２に出力する。通信部１１６は、コンピュータールーム２に配置された各サーバラック１０の電装ユニット５１との間で信号ケーブル１２０を介して双方向に通信するものである。
【００４０】
照明制御装置１１０から各サーバラック１０に送信される信号としては、リア側庫内灯１００及びフロント側庫内灯１０１の点灯／消灯を制御する点灯制御信号があり、また、各サーバラック１０から照明制御装置１１０に送信される信号としてはサーバラック１０の電子機器冷却ユニット２０に故障や異常等の障害が発生した旨を通知する障害発生信号がある。照明制御装置１１０の制御部１１２は、通信部１１６を通じて障害発生信号を受信することでサーバラック１０の電子機器冷却ユニット２０に故障や異常等の障害が発生した事を検知し、これら制御部１１２及び通信部１１６により、異常検出手段が構成されている。記憶部１１８は、制御部１１２により実行される各種のプログラムや各種のデータ（共に図示せず）を記憶するものであり、本実施形態では、配置マップデータ１１９を更に記憶している。
【００４１】
配置マップデータ１１９は、各サーバラック１０の配置を特定するためのデータである。すなわち、サーバラック１０（より正確には電装ユニット５１）の各々には一意に特定するための識別番号としてのアドレスが付されている。そして、上記配置マップデータ１１９には、ラック列９９ごとに、そのラック列９９に属するサーバラック１０のアドレスと、そのラック列９９の両端に配置された各サーバラック１０のアドレスと、出入口ドア１３０に最も近いサーバラック１０のアドレスとが対応付けて記録されている。
【００４２】
また、前掲図８に示すように、電池や発電機を内蔵し、停電時でもしばらくの間電力を供給する無停電電源装置（ＵＰＳ）１２２がラック列９９ごとに設けられており、また、いずれかの無停電電源装置１２２に上記照明制御装置１１０が接続されている。これにより、停電時でも、各サーバラック１０及び照明制御装置１１０への電力供給が継続され、各サーバラック１０のリア側庫内灯１００及びフロント側庫内灯１０１の点灯制御が可能になっている。
【００４３】
以上の構成の下、照明制御装置１１０は、開閉センサ１０９による出入口ドア１３０の開閉検知結果に基づいて、サーバラック１０のリア側庫内灯１００及びフロント側庫内灯１０１の点灯／消灯を制御する。
図１０は、点灯制御の処理手順を示すフローチャートである。
照明制御装置１１０は、開閉センサ１０９からの開閉検知信号の入力を待ち続け、開閉検知信号の入力により出入口ドア１３０の開閉が検知された場合（ステップＳ１：Ｙｅｓ）、コンピュータールーム２内で誘導照明中であるか否かを判断する（ステップＳ２）。本実施形態において、誘導照明中とは、コンピュータールーム２内のいずれかのサーバラック１０或いは全てのサーバラック１０のリア側庫内灯１００及びフロント側庫内灯１０１を点灯させ、これらリア側庫内灯１００及びフロント側庫内灯１０１の点灯により、リアドア１２及びフロントドア１４の表面材６９の通気口としての各孔６８から明かりを通路１０５に漏らして通路１０５の誘導灯を構成している状態のことである。この誘導照明中においては、点灯状態にあるサーバラック１０のリアドア１２及びフロントドア１４が開閉操作されたとしても、その開閉操作に伴う消灯は禁止されるようになっている。
【００４４】
そして照明制御装置１１０は、出入口ドア１３０の開閉が検知されときに誘導照明中でなかった場合には（ステップＳ２：Ｎｏ）、いずれかのサーバラック１０から障害発生信号を受信しているか否かに基づいて障害が発生中であるか否かを判断する（ステップＳ３）。障害が発生中でなければ（ステップＳ３：Ｎｏ）、照明制御装置１１０は、全てのサーバラック１０に対して各々のリア側庫内灯１００及びフロント側庫内灯１０１を点灯させる点灯指令信号を送信し、全てのサーバラック１０の各々のリア側庫内灯１００及びフロント側庫内灯１０１を点灯状態として誘導照明を開始する（ステップＳ４）。
これにより、コンピュータールーム２の全ての通路１０５が各ラック列９９により照らさせることとなり、出入口ドア１３０から室内に入ってきた作業者等に対して、通路１０５の誘導が可能になる。
なお、ステップＳ４においては、全てのサーバラック１０のリア側庫内灯１００及びフロント側庫内灯１０１を点灯させるのではなく、コンピュータールーム２の室内の明るさや広さ、リア側庫内灯１００及びフロント側庫内灯１０１の明るさ等に応じて、ラック列９９の中の数台のサーバラック１０のみ、或いは、リア側庫内灯１００及びフロント側庫内灯１０１のいずれかのみを点灯させる、いわゆる間引き点灯を行うようにしても良い。
【００４５】
また、ステップＳ３の判断の結果、障害が発生中である場合（ステップＳ４：Ｙｅｓ）、照明制御装置１１０は、上記配置マップデータ１１９に基づいて、障害が発生したサーバラック１０を含むラック列９９を特定し（ステップＳ５）、このラック列９９の両端部に配置されている各サーバラック１０に点灯指令信号を送信して、各サーバラック１０のリア側庫内灯１００及びフロント側庫内灯１０１を点灯状態とし誘導照明を行う（ステップＳ６）。また、照明制御装置１１０は、障害が発生しているサーバラック１０に対して、リア側庫内灯１００及びフロント側庫内灯１０１の点滅による点灯を指令して、障害が発生しているサーバラック１０を作業者に対して点灯状態により識別可能に通知する（ステップＳ７）。
これにより、障害発生時には、障害が発生しているラック列９９の両端に位置する各サーバラック１０のリア側庫内灯１００及びフロント側庫内灯１０１を点灯状態とするから障害が発生しているラック列９９を容易に識別可能となる。また、ラック列９９の両端に位置する各サーバラック１０が点灯状態となることで、障害が発生したサーバラック１０と出入口ドア１３０との間にあるサーバラック１０が点灯することとなり、作業者に対して、障害が発生しているラック列９９への誘導が可能となる。また、障害が発生しているサーバラック１０のリア側庫内灯１００及びフロント側庫内灯１０１を点滅状態とすることで、そのサーバラック１０を作業者が容易に見つけることができる。
【００４６】
さらに、障害発生時に停電が生じていても、無停電電源装置１２２から各サーバラック１０及び照明制御装置１１０に対して電力供給が行われているため、サーバラック１０のリア側庫内灯１００及びフロント側庫内灯１０１を点灯し誘導灯を構成することができる。
このとき、上記のように、障害が発生しているラック列９９の全てのサーバラック１０を点灯状態とするのではなく、そのラック列９９の両端部のサーバラック１０のみを点灯状態とすることで、誘導効果を維持しつつ無停電電源装置１２２の消費電力を抑制することができる。なお、ラック列９９の両端部の各々のサーバラック１０を点灯状態とするのではなく、そのラック列９９の両端部の各サーバラック１０のうち、出入口ドア１３０に近い方のみを点灯状態としても良い。
【００４７】
さて、照明制御装置１１０は、出入口ドア１３０の開閉が検知されときに誘導照明中であった場合には（ステップＳ２：Ｙｅｓ）、点灯中のサーバラック１０に対して消灯指令信号を送信し、全てのサーバラック１０のリア側庫内灯１００及びフロント側庫内灯１０１を消灯状態とする（ステップＳ８）。
これにより、作業者が作業終了後にコンピュータールーム２を退出すべく出入口ドア１３０を開閉させたときに自動で各サーバラック１０が消灯する。
【００４８】
以上説明したように、本実施形態によれば、コンピュータールーム２の出入口ドア１３０が開かれたときに、所定のサーバラック１０のキャビネット１１が備えるリア側庫内灯１００及びフロント側庫内灯１０１を点灯し、該コンピュータールーム２内での誘導灯を構成するようにしたため、作業者がコンピュータールーム２に入室した際に、コンピュータールーム２に既設の蛍光灯等の室内照明を点灯させなくとも、コンピュータールーム２内で所定のキャビネット１１の位置に作業者を導くことができる。これにより、コンピュータールーム２の照明に要する消費電力を削減し、コンピュータールーム２の消費電力を抑制することができる。
また、コンピュータールーム２内に蛍光灯等の室内照明を配設する必要が無く、施設コストを抑えることもできる。
【００４９】
また本実施形態によれば、所定のサーバラック１０のキャビネット１１が備えるリア側庫内灯１００及びフロント側庫内灯１０１が点灯しているとき、コンピュータールーム２の出入口ドア１３０が再び開けられた場合に、これら点灯中のリア側庫内灯１００及びフロント側庫内灯１０１を消灯する構成としたため、作業者が作業終了後にコンピュータールーム２を退出すべく出入口ドア１３０を開いただけで、何ら消灯操作をすることなく自動で各サーバラック１０を消灯状態とすることができる。
【００５０】
また本実施形態によれば、サーバラック１０の電子機器冷却ユニット２０の異常を検出した場合に、サーバラック１０のリア側庫内灯１００及びフロント側庫内灯１０１を点滅により識別可能に点灯すると共に、当該サーバラック１０を含むラック列９９の両端に位置する各サーバラック１０のリア側庫内灯１００及びフロント側庫内灯１０１を点灯させることで、障害が発生したサーバラック１０と出入口ドア１３０との間にあるサーバラック１０を点灯させる構成とした。これにより、作業者に対して、障害が発生しているサーバラック１０へ速やかに誘導することができる。
【００５１】
なお、上述した実施の形態は、あくまでも本発明の一態様を示すものであり、本発明の範囲内で任意に変形および応用が可能である。
【００５２】
例えば、上述した実施形態では、サーバラック１０のキャビネット１１がフロントドア１４及びフロント側庫内灯１０１を備える場合を例示したが、リアドア１２及びリア側庫内灯１００だけであっても良い。
【００５３】
例えば本実施形態では、空冷式の熱源機３０を使用する場合について説明したが、これに限らず、図１１に示すように、水冷式の熱源機３０Ｘを使用してもよい。水冷式の熱源機３０Ｘを使用する場合は、図示せぬクーリングタワーから延びる水配管２０１、２０２とに熱源機３０Ｘを配管接続する構成を採るため、複数の熱源機３０Ｘを重ねて配置でき、熱源機３０Ｘの配置スペースが小さくなる。また、熱源機３０、３０Ｘから延びるメイン冷媒配管３１に空気調和装置を接続し、この空気調和装置によりコンピュータールーム２内の空調を行う構成としてもよい。
また、上記した熱源機３０，３０Ｘは、四方弁３４を有しない冷房（冷却）サイクル専用機の構成としても良い。また、上記熱源機３０，３０Ｘが備える圧縮機３２は、電動機で駆動される形式、いわゆるＥＨＰ（電気式ヒートポンプ）形式のものであったが、これに限るものではなく、ガスエンジンの駆動によって圧縮機を駆動させるＧＨＰ（ガスヒートポンプ）形式の熱源機としても良い。
また、本実施形態では、サーバラック１０が備えるリアドア１２は片開きのドアであったが、これに限るものではなく、両開きのドアを用いる構成としても良い。この構成によれば、例えば、電子機器の横幅が大きくなることに伴い、キャビネットの幅が広くなったとしても、片開きに比べてドアの可動範囲を小さくすることができるため、メンテナンス時の作業を容易に行うことができる。
【図面の簡単な説明】
【００５４】
【図１】本発明の一実施形態に係る電子機器冷却システムを示す図である。
【図２】サーバラックを示す図である。
【図３】電子機器冷却装置の回路構成を示す図である。
【図４】サーバラックの外観斜視図である。
【図５】リアドアを開いた状態のサーバラックの斜視図である。
【図６】図５においてカバー材を外した状態を示す斜視図である。
【図７】蒸発器の構成を示す斜視図である。
【図８】照明システムの構成を模式的に示す図である。
【図９】照明制御装置の機能的構成を示すブロック図である。
【図１０】点灯制御の処理手順を示すフローチャートである。
【図１１】水冷式の熱源機を用いた電子機器冷却システムを示す図である。
【符号の説明】
【００５５】
１  電子機器冷却システム
２  コンピュータールーム
３  電子機器
１０  サーバラック
１１  キャビネット
１１Ａ  天板
１２  リアドア
１４  フロントドア
２０  電子機器冷却ユニット
２１  蒸発器
５１  電装ユニット
６９  表面材
９９  ラック列
１００  リア側庫内灯（照明装置）
１０１  フロント側庫内灯（照明装置）
１０５  通路
１０９  開閉センサ
１１０  照明制御装置（照明制御手段）
１１２  制御部
１１６  通信部
１１８  記憶部
１１９  配置マップデータ
１２２  無停電電源装置
１３０  出入口ドア
２００  照明システム
【図１】
2009135016.tif 000003
【図２】
2009135016.tif 000004
【図３】
2009135016.tif 000005
【図４】
2009135016.tif 000006
【図５】
2009135016.tif 000007
【図６】
2009135016.tif 000008
【図７】
2009135016.tif 000009
【図８】
2009135016.tif 000010
【図９】
2009135016.tif 000011
【図１０】
2009135016.tif 000012
【図１１】
2009135016.tif 000013